【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
１つまたは複数のコンピューティングデバイスを使用して、リアルタイムビジュアル通信セッションに関連するとともに、複数の参加者のそれぞれについての参加者に関連するビジュアルデータを表示する望ましさに関連する、１つまたは複数の参加属性に少なくとも部分的に基づいて、前記リアルタイムビジュアル通信セッションの前記複数の参加者から、それぞれが能動的状態に関連付けられる少なくとも第１の能動的参加者、第２の能動的参加者、および第３の能動的参加者を選択するステップと、
ユーザコンピューティングデバイスのディスプレイデバイスに表示するために、前記１つまたは複数のコンピューティングデバイスを使用して、前記第１の能動的参加者に関連する第１のビジュアルデータ、前記第２の能動的参加者に関連する第２のビジュアルデータ、および前記第３の能動的参加者に関連する第３のビジュアルデータを提供するステップと、
前記１つまたは複数のコンピューティングデバイスを使用して、前記リアルタイムビジュアル通信セッションに関連する前記１つまたは複数の参加属性に少なくとも部分的に基づいて、能動的参加者として選択されなかった１人または複数の参加者から１人または複数の新しい能動的参加者を選択するステップであって、前記１人または複数の新しい能動的参加者が、前記能動的状態に関連付けられる、ステップと、
表示するために、前記１つまたは複数のコンピューティングデバイスを使用して、前記コンピューティングデバイスの前記ディスプレイデバイスに前記１人または複数の新しい能動的参加者に関連する第４のビジュアルデータを提供するステップと、
表示するために前記第４のビジュアルデータを提供するステップに応じて、表示される第１のビジュアルデータ、第２のビジュアルデータ、および第３のビジュアルデータの品質を修正するステップと、
を含む方法。
【請求項２】
前記複数の参加者のうちの第１の参加者を司会者に任命するステップであって、前記司会者は、前記複数の参加者のうちのその他の参加者のステータスを変更する権限を与えられ、前記司会者に関連するビジュアルデータは、前記リアルタイムビジュアル通信セッション中、前記コンピューティングデバイスの前記ディスプレイデバイスに表示するために常に提供される、ステップをさらに含む請求項１に記載の方法。
【請求項３】
前記能動的状態に関連付けられる参加者の数を能動的参加者の閾値の数と比較するステップと、
比較に応じて、前記能動的状態に関連付けられる参加者の前記数が能動的参加者の事前に定義された閾値の数未満であるときに前記１人または複数の新しい能動的参加者を選択するステップと、
をさらに含む請求項１に記載の方法。
【請求項４】
前記能動的状態に関連付けられる参加者の数を能動的参加者の事前に定義された閾値の数と比較するステップと、
比較に応じて、前記能動的状態に関連付けられる参加者の前記数が能動的参加者の前記閾値の数を超えるときに、前記１つまたは複数の参加属性に少なくとも部分的に基づいて、前記能動的状態に関連付けられる１人または複数の参加者を受動的状態に関連付けられるように選択するステップと、
をさらに含む請求項１に記載の方法。
【請求項５】
前記参加属性のうちの１つに少なくとも部分的に基づいて、前記能動的状態に関連付けられた第１の参加者がもはや能動的参加者であるべきでないと判定するステップと、
前記第１の能動的参加者に関連する状態を前記能動的状態から受動的状態に変更するステップと、
前記参加属性のうちの１つに少なくとも部分的に基づいて、能動的参加者として選択されなかった前記１人または複数の参加者から第２の参加者を選択するステップであって、前記第２の参加者の状態が、前記受動的状態から前記能動的状態に変更される、ステップと、
をさらに含む請求項１に記載の方法。
【請求項６】
前記リアルタイムビジュアル通信セッションに関連する前記１つまたは複数の参加属性は、前記複数の参加者のうちの少なくとも１人の参加者に関して、待ち行列内での位置、前記能動的状態の継続時間、受動的状態の継続時間、呼称、識別情報、音声出力の内容、ユーザが選択可能なオプションのステータス、ラウンドロビンプロセス、参加者の投票結果、前記参加者が発言した継続時間と前記リアルタイムビジュアル通信セッションの総継続時間との比、前記参加者が最後に発言してからの経過時間、前記参加者の地理的位置、前記参加者に関連する会議リソースの存在、前記参加者に関連するコンピューティングデバイスの属性、およびそれらの任意の組み合わせのうちの少なくとも１つを含む請求項１に記載の方法。
【請求項７】
前記複数の参加者のうちの第１の参加者が聴取者であることを示す１つまたは複数の信号を受信するステップと、
前記１つまたは複数の信号を受信するステップに応じて、前記第１の参加者に関連する状態を、前記リアルタイムビジュアル通信セッションの継続時間の間、受動的に設定するステップと、
をさらに含む請求項１に記載の方法。
【請求項８】
能動的参加者として選択されなかった１人または複数の参加者が、それぞれが受動的状態に関連付けられた１人または複数の受動的参加者を含む請求項１に記載の方法。
【請求項９】
前記リアルタイムビジュアル通信セッションに関連する前記１つまたは複数の参加属性に少なくとも部分的に基づいて前記受動的参加者から１人または複数の新しい能動的参加者を選択するステップが、
複数の参加者のそれぞれに関する参加の評定を決定するステップであって、前記参加の評定が、前記１つまたは複数の参加属性に少なくとも部分的に基づく、ステップと、
参加者が以前に参加していたよりも能動的に前記リアルタイムビジュアル通信セッションに参加していることを前記参加者に関する前記１つまたは複数の参加属性のうちの１つが示すときに前記参加者に関する前記参加の評定を高くするステップと、
前記参加者が以前に参加していたほど能動的に前記リアルタイムビジュアル通信セッションに参加していないことを前記参加者に関する前記１つまたは複数の参加属性のうちの１つが示すときに前記参加者に関する前記参加の評定を低くするステップと、
前記複数の参加者のそれぞれの前記参加の評定に基づいて能動的になる前記１人または複数の参加者を選択するステップと、
をさらに含む請求項８に記載の方法。
【請求項１０】
前記１人または複数の新しい能動的参加者が、前記受動的参加者から選択される請求項８に記載の方法。
【請求項１１】
ビジュアルデータの表示された第１の組の少なくとも一部の品質を修正するステップが、前記能動的参加者のうちの少なくとも１人に関連する前記ビジュアルデータの視覚的品質または出力サイズのうちの少なくとも１つを下げるステップを含む請求項１に記載の方法。
【請求項１２】
ビジュアルデータの表示された第１の組の少なくとも一部の品質を修正するステップが、それぞれの選択された新しい能動的参加者に関して少なくとも１人の能動的参加者に関連するビジュアルデータの品質を繰り返し下げるステップをさらに含む請求項１に記載の方法。
【請求項１３】
受動的状態から前記能動的状態に変更された各参加者に関して一度、ビジュアルデータの表示される第２の組の少なくとも一部の品質を繰り返し下げるステップと、
参加者に関連する表示されるビジュアルデータの品質が品質の閾値レベルに達すると、前記参加者のステータスを前記能動的状態から受動的状態に変更するステップと、
をさらに含む請求項１２に記載の方法。
【請求項１４】
参加者に関連するビジュアルデータが、前記参加者のステータスが能動的であるときにのみ前記コンピューティングデバイスの前記ディスプレイデバイスに表示のために与えられる請求項１に記載の方法。
【請求項１５】
前記コンピューティングデバイスによる出力のために、各参加者に関連する音声データを、前記参加者が前記能動的状態に関連付けられている間だけ提供するステップをさらに含む請求項１に記載の方法。
【請求項１６】
前記コンピューティングデバイスによる出力のために、前記複数の参加者の各参加者に関連する音声データを提供するステップをさらに含む請求項１に記載の方法。
【請求項１７】
前記リアルタイムビジュアル通信セッションに関連するネットワークリソースおよび前記コンピューティングデバイスのコンピュータリソースに少なくとも部分的に基づいて能動的参加者の閾値の数を決定するステップをさらに含む請求項１に記載の方法。
【請求項１８】
プログラム可能なプロセッサに、
１つまたは複数のコンピューティングデバイスを使用して、リアルタイムビジュアル通信セッションに関連するとともに、複数の参加者のそれぞれについての参加者に関連するビジュアルデータを表示する望ましさに関連する、１つまたは複数の参加属性に少なくとも部分的に基づいて、前記リアルタイムビジュアル通信セッションの前記複数の参加者から、それぞれが能動的状態に関連付けられる１人または複数の能動的参加者を選択する動作と、
表示するために、前記１つまたは複数のコンピューティングデバイスを使用して、ユーザコンピューティングデバイスのディスプレイデバイスに前記１人または複数の能動的参加者に関連するビジュアルデータの第１の組を提供する動作と、
前記１つまたは複数のコンピューティングデバイスを使用して、前記リアルタイムビジュアル通信セッションに関連する前記１つまたは複数の参加属性に少なくとも部分的に基づいて、能動的参加者として選択されなかった１人または複数の参加者から１人または複数の新しい能動的参加者を選択する動作であって、前記１人または複数の新しい能動的参加者が、前記能動的状態に関連付けられるようになり、前記能動的状態に関連付けられる参加者の総数が能動的参加者の事前に定義された閾値の数を超えない、動作と、
表示するために、前記１つまたは複数のコンピューティングデバイスを使用して、前記コンピューティングデバイスの前記ディスプレイデバイスに前記１人または複数の新しい能動的参加者に関連するビジュアルデータの第２の組を提供する動作と、
表示するためにビジュアルデータの前記第２の組を提供する動作に応じて、ビジュアルデータの表示された第１の組の少なくとも一部の品質を修正する動作と、
を含む動作を実行させるための命令を含むコンピュータ可読記録媒体。
【請求項１９】
前記動作が、
前記参加属性のうちの１つに少なくとも部分的に基づいて、前記能動的状態に関連付けられた第１の参加者がもはや能動的参加者であるべきでないと判定する動作と、
前記第１の能動的参加者の状態を受動的状態に関連付けられるように変更する動作と、
前記参加属性のうちの１つに少なくとも部分的に基づいて前記第１の参加者と交替する第２の参加者を選択する動作であって、前記第２の参加者の状態が、能動的状態の参加者の数が能動的参加者の前記閾値の数と等しくなるように受動的状態から能動的状態に変更される、動作と、
をさらに含む請求項１８に記載のコンピュータ可読記録媒体。
【請求項２０】
ビジュアルデータの前記表示された第１の組の少なくとも一部の品質を修正する動作が、
選択され、受動的状態から前記能動的状態に変更されたそれぞれの新しい能動的参加者に対して少なくとも１人の能動的参加者に関連するビジュアルデータの品質を繰り返し下げる動作と、
参加者に関連する前記表示されたビジュアルデータの品質が品質の閾値レベルに達すると、前記参加者のステータスを前記能動的状態から前記受動的状態に変更する動作と、
をさらに含む請求項１８に記載のコンピュータ可読記録媒体。
【請求項２１】
１つまたは複数のコンピューティングデバイスを使用して、リアルタイムビジュアル通信セッションに関連するとともに、複数の参加者のそれぞれについての参加者に関連するビジュアルデータを表示する望ましさに関連する、１つまたは複数の参加属性に少なくとも部分的に基づいて、前記リアルタイムビジュアル通信セッションの前記複数の参加者から、それぞれが能動的状態に関連付けられる１人または複数の能動的参加者を選択するステップと、
表示するために、前記１つまたは複数のコンピューティングデバイスを使用して、ユーザコンピューティングデバイスのディスプレイデバイスに前記１人または複数の能動的参加者に関連するビジュアルデータの第１の組を提供するステップと、
前記１つまたは複数のコンピューティングデバイスを使用して、前記リアルタイムビジュアル通信セッションに関連する前記１つまたは複数の参加属性に少なくとも部分的に基づいて、能動的参加者として選択されなかった１人または複数の参加者から１人または複数の新しい能動的参加者を選択するステップであって、前記１人または複数の新しい能動的参加者が前記能動的状態に関連付けられ、前記能動的状態に関連付けられる参加者の総数が能動的参加者の事前に定義された閾値の数を超えない、ステップと、
表示するために、前記１つまたは複数のコンピューティングデバイスを使用して、前記コンピューティングデバイスの前記ディスプレイデバイスに前記１人または複数の新しい能動的参加者に関連するビジュアルデータの第２の組を提供するステップと、
表示するためにビジュアルデータの前記第２の組を提供するステップに応じて、ビジュアルデータの表示された第１の組の少なくとも一部の品質を修正するステップと、
を行う方法を実行するように構成される１つまたは複数のプロセッサを含むサーバ。
【請求項２２】
ビジュアルデータの前記表示された第１の組の少なくとも一部の前記品質を修正するステップが、
選択され、受動的状態から前記能動的状態に変更されたそれぞれの新しい能動的参加者に対して少なくとも１人の能動的参加者に関連するビジュアルデータの品質を繰り返し下げるステップと、
参加者に関連する前記表示されたビジュアルデータの品質が品質の閾値レベルに達すると、前記参加者のステータスを前記能動的状態から前記受動的状態に変更するステップと、
をさらに含む請求項２１に記載のサーバ。